(57)【特許請求の範囲】
【請求項１】
都市ごみを炭化処理することにより生成された炭化物を、洗浄水により洗浄する洗浄工程と洗浄排水を吸引して脱水する脱水工程とを多段に繰り返して脱塩させるようにし、最下流段部の洗浄工程では新水を洗浄水として使用して、該最下流段部よりも上流にある各段の洗浄工程では該各段の１段下流の脱水工程で排出された洗浄排水を洗浄水として循環させて順次使用し、最上流段部の脱水工程で排出される洗浄排水は、上記炭化物を生成したときに生じる熱分解ガスのためのガス調温室へ送って使用するようにすることを特徴とする都市ごみ炭化設備の炭化物脱塩方法。
【請求項２】
都市ごみを炭化処理して炭化物を生成する炭化炉の下流位置に、複数のロールに巻回されて走行する濾布と、該濾布の水平方向に延びる搬送面の上方部に上下流方向に多段に配置した洗浄機と、上記濾布の搬送面の裏面側に上下流方向に多段に配置した脱水機とを備えた多段洗浄、脱水装置を設置し、且つ上記最下流段部に位置する洗浄機に新水を洗浄水として供給するようにすると共に、該最下流段部よりも上流にある各段に位置する洗浄機に各々の１段下流に位置する脱水機で生じた洗浄排水を洗浄水として循環させて順次供給するようにし、更に、最上流段部の脱水工程で排出される洗浄排水を、上記炭化炉から取り出される熱分解ガスのためのガス調温室に送って使用するようにした構成を有することを特徴とする都市ごみ炭化設備の炭化物脱塩装置。
【発明の詳細な説明】
【０００１】
【発明の属する技術分野】
本発明は都市ごみを炭化処理して再利用するために用いる都市ごみ炭化設備の炭化物脱塩方法及び装置に関するものである。
【０００２】
【従来の技術】
都市ごみを処理するプロセスの一つとして、都市ごみを炭化処理して活性炭等として再利用することが行われている。
【０００３】
都市ごみを炭化する従来の設備について説明すると、図２にその一例を示す如く、先ず、熱分解キルンの如き炭化炉１において、都市ごみ２を外熱により熱分解ガス化処理（炭化処理）して、熱分解残渣として炭化物３を生成させるようにし、更に、生成された炭化物３中の金属片（スチール缶やアルミ缶等）を金属分離装置４で分離除去させるようにしている。上記炭化物３には、炭化炉１での炭化過程でガス化されなかった塩素分が残存しており、この塩素分の大部分は無機塩（ＮａＣｌ、ＣａＣｌ２等）であって、水で洗浄すれば水に溶解して容易に除去することができるので、次に、金属片を除去した後の炭化物３を、洗浄装置５で洗浄水６により洗浄し、次いで、洗浄水６を含む炭化物３を脱水装置７で脱水して脱塩し、しかる後、脱塩後の炭化物３を乾燥装置８で乾燥させて製品としての炭化物３を得るようにしている。
【０００４】
しかし、上記都市ごみの炭化設備の場合、炭化物３の塩素含有率を脱塩前の１／１０程度にするためには、炭化物３の約１０倍もの洗浄水６が必要となり、洗浄排水６ａを系内処理できなくなってしまう問題が生じる。
【０００５】
そのため、図３に一例を示す如く、図２に示したものと同様な構成において、脱水装置７で生じた洗浄排水６ａを濾過装置９を介して逆浸透装置としての電気透析装置１０に導き、該電気透析装置１０で脱塩濃縮された濃縮塩水（濃縮水）６ｂを、上記炭化炉１から取り出された熱分解ガス用のガス調温室１１へ送って噴霧水として使用すると共に、希薄塩水（脱塩水）６ｃを上記洗浄装置５へ洗浄水として送って、洗浄水をクローズド化して無放流とすることが行われている。
【０００６】
【発明が解決しようとする課題】
ところが、図３に示す都市ごみ炭化設備の場合、洗浄水をクローズド化したことにより、使用する洗浄水量を少なくすることはできるが、洗浄排水中の塩分を濃縮するために、高価な電気透析装置１０とその前処理装置としての濾過装置９が不可欠となるため、機器数量が多くなるだけでなく、設備コスト及び設置面積が増大する問題がある。
【０００７】
そこで、本発明は、電気透析装置等を用いることなく洗浄水のクローズド化を可能とすることができるようにしようとするものである。
【０００８】
【課題を解決するための手段】
本発明は、上記課題を解決するために、都市ごみを炭化処理することにより生成された炭化物を、洗浄水により洗浄する洗浄工程と洗浄排水を吸引して脱水する脱水工程とを多段に繰り返して脱塩させるようにし、最下流段部の洗浄工程では新水を洗浄水として使用して、該最下流段部よりも上流にある各段の洗浄工程では該各段の１段下流の脱水工程で排出された洗浄排水を洗浄水として循環させて順次使用し、最上流段部の脱水工程で排出される洗浄排水は、上記炭化物を生成したときに生じる熱分解ガスのためのガス調温室へ送って使用するようにする都市ごみ炭化設備の炭化物脱塩方法、及び、都市ごみを炭化処理して炭化物を生成する炭化炉の下流位置に、複数のロールに巻回されて走行する濾布と、該濾布の水平方向に延びる搬送面の上方部に上下流方向に多段に配置した洗浄機と、上記濾布の搬送面の裏面側に上下流方向に多段に配置した脱水機とを備えた多段洗浄、脱水装置を設置し、且つ上記最下流段部に位置する洗浄機に新水を洗浄水として供給するようにすると共に、該最下流段部よりも上流にある各段に位置する洗浄機に各々の１段下流に位置する脱水機で生じた洗浄排水を洗浄水として循環させて順次供給するようにし、更に、最上流段部の脱水工程で排出される洗浄排水を、上記炭化炉から取り出される熱分解ガスのためのガス調温室に送って使用するようにした構成を有する都市ごみ炭化設備の炭化物脱塩装置とする。
【０００９】
最下流段の洗浄工程のみで洗浄水の新水を使用して、他の洗浄工程では各々その下流側で脱水された洗浄排水を洗浄水として使用して洗浄水をクローズド化することから、洗浄水の使用量を少量にでき、又、多段洗浄、脱水することから、脱塩性能を向上できるようになる。
【００１０】
【発明の実施の形態】
以下、本発明の実施の形態を図面を参照して説明する。
【００１１】
図１（イ）（ロ）は本発明の実施の一形態を示すもので、図２に示した都市ごみ炭化設備と同様な構成において、洗浄装置５と脱水装置７とを１段のみ設けることに代えて、洗浄工程と脱水工程とを多段に実施するようにした多段洗浄、脱水装置としての水平ベルトフィルタ１２を設置したものである。
【００１２】
上記水平ベルトフィルタ１２は、図１（ロ）に示す如く、下流側端部に配置した駆動ロール１３と上流側端部等に配置した複数のガイドロール１４との間に、無端ベルト状の濾布１５を巻回し、該濾布１５の水平方向に延びる搬送面の上方部に、洗浄工程を実施する洗浄機としての洗浄スプレー１６を、上下流方向に多段（図では３段）に配置し、濾布１５の上流側搬送面に供給された炭化物３に洗浄スプレー１６より洗浄水６を順次散布できるようにし、且つ上記濾布１５の搬送面の裏面側に、脱水工程を行う脱水機としての真空室１７を、洗浄スプレー１６と対応するように上下流方向に多段に密着配置して、シリンダ１８の作動で上下流方向に移動させられるようにし、真空室１７を、濾布１５の走行に合わせて下流側へ前進させ、最前進位置に達すると、真空吸引を解除すると共に元の位置へ後退させ、次に、再び濾布１５と共に前進させながら洗浄排水を真空吸引させられるようにしてある。
【００１３】
上記各洗浄スプレー１６への洗浄水６の供給方式としては、最下流段部の洗浄スプレー１６のみに洗浄水６の新水を供給するようにし、一方、他の洗浄スプレー１６へは、該各洗浄スプレー１６よりも下流段部に位置する真空室１７で吸引した洗浄排水６ａを循環させて供給するようにし、更に、最上流段部の真空室１７で吸引した洗浄排水６ａを、炭化炉１から取り出された熱分解ガス用のガス調温室１１へ送って噴霧水として使用するようにして、洗浄水６をクローズド化するようにしてある。なお、洗浄水６の新水としては、濾布洗浄装置１９で使用した後の水を使用するようにしてある。
【００１４】
上記構成としてある都市ごみ炭化設備において、炭化物３を脱塩処理する場合は、炭化炉１で都市ごみ２から生成された炭化物３に対し、洗浄水６による洗浄工程と洗浄後の脱水工程とを多段に亘り繰り返して脱塩させるようにし、このとき、洗浄水６の新水を、最下流段の洗浄工程のみで使用するようにすると共に、各脱水工程で生じた洗浄排水６ａを、順次その上流段の洗浄工程に送って洗浄水として使用するようにする。
【００１５】
詳述すると、炭化炉１で生成された炭化物３は、金属分離装置４で金属片が分離除去された後、多段洗浄、脱水装置としての水平ベルトフィルタ１２に供給され、多段洗浄、脱水を受けることになる。水平ベルトフィルタ１２では、水平方向に延びる濾布１５の搬送面上流位置に供給された炭化物３が、下流側に搬送される過程で、上下流方向に多段に配置された洗浄スプレー１６からの洗浄水の散布供給による洗浄工程と、真空室１７による洗浄排水６ａの脱水工程とを繰り返し実施することにより脱塩を行わせるようにする。この際、最下流段の洗浄スプレー１６のみに、洗浄水６の新水が供給され、最下流段の真空室１７で吸引された洗浄排水６ａが、最下流段の洗浄スプレー１６の上流段（前段）に位置する洗浄スプレー１６に供給され、同様に、最下流段の真空室１７の上流段（前段）に位置する真空室１７からの洗浄排水６ａが最上流段の洗浄スプレー１６に、洗浄水として供給され、更に、最上流段の真空室１７からの洗浄排水６ａが、熱分解ガス用のガス調温室１１へ送られて噴霧水として使用される。
【００１６】
このように、洗浄水６の新水は最下流段の洗浄スプレー１６にだけ供給されて、他の洗浄スプレー１６には順次下流段の真空室１７で吸引した洗浄排水６ａを洗浄水として供給するので、図３に示す如き電気透析装置１０やその前処理装置としての濾過装置９を用いることなく洗浄水６をクローズド化することができて、系内で無放流とすることができる。したがって、設置機器数量を図３に示すものよりも少なくすることができて設備コストの低減化を図ることができる。
【００１７】
又、上記において、少量の洗浄水６の新水と洗浄排水６ａを利用して炭化物３に洗浄、脱水を多段に繰り返して実施することから、洗浄、脱水を１段だけ実施する場合に比し、洗浄排水６ａ中に塩分を濃縮させることができるため、脱塩性能を向上することができる。
【００１８】
なお、上記実施の形態では、水平ベルトフィルタ１２において、洗浄スプレー１６と真空室１７とを上下流方向に３段配置した場合を示したが、段数は任意に選定し得ること、その他本発明の要旨を変更しない範囲内において種々変更を加え得ることは勿論である。
【００１９】
【発明の効果】
以上述べた如く、本発明によれば、都市ごみを炭化処理することにより生成された炭化物を、洗浄水により洗浄する洗浄工程と洗浄排水を吸引して脱水する脱水工程とを多段に繰り返して脱塩させるようにし、最下流段部の洗浄工程では新水を洗浄水として使用して、該最下流段部よりも上流にある各段の洗浄工程では該各段の１段下流の脱水工程で排出された洗浄排水を洗浄水として循環させて順次使用し、最上流段部の脱水工程で排出される洗浄排水は、上記炭化物を生成したときに生じる熱分解ガスのためのガス調温室へ送って使用するようにする都市ごみ炭化設備の炭化物脱塩方法、及び、都市ごみを炭化処理して炭化物を生成する炭化炉の下流位置に、複数のロールに巻回されて走行する濾布と、該濾布の水平方向に延びる搬送面の上方部に上下流方向に多段に配置した洗浄機と、上記濾布の搬送面の裏面側に上下流方向に多段に配置した脱水機とを備えた多段洗浄、脱水装置を設置し、且つ上記最下流段部に位置する洗浄機に新水を洗浄水として供給するようにすると共に、該最下流段部よりも上流にある各段に位置する洗浄機に各々の１段下流に位置する脱水機で生じた洗浄排水を洗浄水として循環させて順次供給するようにし、更に、最上流段部の脱水工程で排出される洗浄排水を、上記炭化炉から取り出される熱分解ガスのためのガス調温室に送って使用するようにした構成を有する都市ごみ炭化設備の炭化物脱塩装置としてあるので、高価な電気透析装置等を用いることなく洗浄水をクローズド化することができると共に、多段洗浄、脱水により洗浄排水を濃縮でき、脱塩性能を向上することができる、という優れた効果を発揮する。
【図面の簡単な説明】
【図１】本発明の実施の一形態を示すもので、（イ）は都市ごみ炭化設備の概略系統図、（ロ）は多段洗浄、脱水装置としての水平ベルトフィルタの構成要領を示す側面図である。
【図２】都市ごみ炭化設備の一例を示す概略系統図である。
【図３】都市ごみ炭化設備の他の例を示す概略系統図である。
【符号の説明】
１  炭化炉
２  都市ごみ
３  炭化物
６  洗浄水
６ａ  洗浄排水
１１  ガス調温室
１２  水平ベルトフィルタ（多段洗浄、脱水装置）
１３  駆動ロール（ロール）
１４  ガイドロール（ロール）
１５  濾布
１６  洗浄スプレー（洗浄機）
１７  真空室（脱水機）
【図１】
0004428843.tif 000002
【図２】
0004428843.tif 000003
【図３】
0004428843.tif 000004